(57)【特許請求の範囲】
【請求項１】
マガジンから模擬銃内に弾丸を供給するための通路部と、前記通路部の一端に配置され前記弾丸と接することで前記模擬銃内に弾丸の流出を防止するための第１係合部と、前記マガジンを前記通路部から離したかまたは前記マガジン内に弾丸がなくなったかを検知する検知部が移動することにより、その検知部との係合を脱することによって、前記第１係合部を駆動させるための検知受け部と、を有し、
前記検知受け部が、前記マガジンを前記通路部から離間させたかまたは前記マガジン内に弾丸がなくなったことを検知する前記検知部との係合を脱すると、前記検知受け部の動きに応じて、前記第１係合部が、前記通路部の一端においてその通路部内に突出することで前記通路部内に残された弾丸の前記一端からの流出を防止することができる弾丸流出防止装置。
【請求項２】
前記検知受け部に前記通路部の他端において弾丸を模擬銃内に供給するための通路部内に突出する第２係合部を配置し、前記マガジン部を前記通路部から離したか、または前記マガジン内に弾丸がなくなったかを検知する検知部が移動することによりその検知部との係合を脱することによって、さらに前記第２係合部を駆動させ、前記通路部の他端において前記通路部内に突出してその通路部内に残された弾丸の前記他端からの流出を防止することができる請求項１記載の弾丸流出防止装置。
【請求項３】
前記第１係合部は、前記通路部に配置された掛止具と係合する長穴を有し、前記長穴に沿って移動する請求項１または２記載の弾丸流出防止装置。
【請求項４】
前記第１係合部は、前記長穴に沿った方向に付勢する弾性部材を有する請求項３記載の弾丸流出防止装置。
【請求項５】
前記請求項１から４いずれか１項記載の弾丸流出防止装置を具備する模擬銃。
【請求項６】
弾丸を前記模擬銃内に供給するためのマガジンとを有し、前記マガジンは、弾丸がなくなったことを検知する検知部とを有する請求項１から４いずれか１項記載の弾丸流出防止装置を具備する模擬銃。
【発明の詳細な説明】
【技術分野】
【０００１】
本発明は、マガジンから模擬銃内に至る通路部内に残された弾丸の流出を防ぎその通路部内にその弾丸を保持するための装置である。
【背景技術】
【０００２】
模擬銃は、法規制上いわゆる弾丸、一例としてＢＢ弾を発射できるようにするため、実銃とは全く異なる構成を採っている。そのため、その模擬銃の種別によってはマガジンを配置する位置と弾丸を模擬銃に充填するための位置が離れている。従って、それらの位置を連絡することで弾丸をその模擬銃に供給するための通路が必要となる。【０００３】
すなわち、ＢＢ弾を模擬銃に供給するためのマガジンと、そのＢＢ弾を発射するためにこのＢＢ弾を配置するための模擬銃の銃本体における嵌合口との間は、離れているために、それらをつないで、上記弾丸を供給するための通路を配置している。この弾丸を供給するための通路は、銃の種類によっても異なるが、たとえば、およそＢＢ弾１６発分の距離が必要となり、これが、いわゆる死弾となる。【０００４】
ここで死弾とは、はじめに弾丸が規定量充填されたマガジンを銃本体にセットした場合に、一定量の弾丸が模擬銃内に流入する。その後その流入した弾丸を一発ずつ順に発射し、マガジン内の弾丸が無くなった時点で、上述の供給するための通路内に残った弾丸をいう。すなわち、この弾丸は供給するための通路内に残っていたとしても、そのままでは模擬銃に弾丸を供給できず弾丸の発射ができなくなるというものである。【０００５】
その場合において、空のマガジンを取り外し、再び、弾丸が規定量充填されたマガジンを模擬銃の銃本体にセットすると、その模擬銃内に供給するための通路内に残った弾丸から順に発射されるというものである。言い換えれば、弾丸が充填された新たなマガジンが銃本体にセットされない限り上述の弾丸を供給するための通路内に残ったその弾丸は発射されず、そのまま模擬銃内に残されるのである。【０００６】
しかしながら、上述の供給するための通路内に残った弾丸は、その通路の外に流出する場合がある。従って、通路の外に弾丸が流出することを可及的に防止したいという要請がある。【０００７】
このようなものを解決するものとして、先行技術調査をしたが上記課題を解決することができるものが発見されなかった。なお、上記模擬銃に関するものとして特開２００４−３４７２２１号公報が発見されている。
【先行技術文献】
【特許文献】
【０００８】
【特許文献１】特開２００４−３４７２２１号公報
【発明の概要】
【発明が解決しようとする課題】
【０００９】
本発明は前記の点に鑑みなされたもので、その課題は、マガジンから模擬銃に供給するための通路内に残った弾丸を、その通路内からその通路の外に流出しない弾丸流失防止装置を提供することを目的とする。
【課題を解決するための手段】
【００１０】
前記の課題を解決するため、第１観点の弾丸流出防止装置は、マガジンから模擬銃内に弾丸を供給するための通路部と、通路部の一端に配置され、弾丸と接することで模擬銃内に弾丸の流出を防止するための第１係合部と、前記マガジンを前記通路部から離したかまたは前記マガジン内に弾丸がなくなったかを検知する検知部が移動することにより、その検知部との係合を脱することによって、第１係合部を駆動させるための検知受け部と、を有し、検知受け部が、マガジンを通路部から離間させたかまたはマガジン内に弾丸がなくなったことを検知する検知部との係合を脱すると、検知受け部の動きに応じて、第１係合部が、通路部の一端においてその通路部内に突出することで通路部内に残された弾丸の前記一端からの流出を防止することができるというものである。【００１１】
前記の課題を解決するため、第２観点の弾丸流出防止装置は、第１観点の弾丸流出防止装置において、検知受け部に通路部の他端において弾丸を模擬銃内に供給するための通路部内に突出する第２係合部を配置し、マガジン部を前記通路部から離したか、またはマガジン内に弾丸がなくなったかを検知する検知部が移動することによりその検知部との係合を脱することによって、さらに第２係合部を駆動させ、通路部の他端において通路部内に突出してその通路部内に残された弾丸の他端からの流出を防止することができる。【００１２】
前記の課題を解決するため、第３観点の弾丸流出防止装置は、第１観点または第２観点の弾丸流出防止装置において、第１係合部は、前記通路部に配置された掛止具と係合する長穴を有し、前記長穴に沿って移動するというものである。【００１３】
前記の課題を解決するため、第４観点の弾丸流出防止装置は、第１観点から第３観点の弾丸流出防止装置において第１係合部は、長穴に沿った方向に付勢する弾性部材を有するというものである。【００１４】
前記の課題を解決するため、第５観点の模擬銃は、第１観点から第４観点の弾丸流出防止装置を具備するというものである。【００１５】
前記の課題を解決するため、第６観点の模擬銃は、第１観点から第４観点の弾丸流出防止装置を具備し、かつ、弾丸をその模擬銃内に供給するためのマガジンとを有し、そのマガジンは、弾丸がなくなったことを検知する検知部とを有するというものである。
【発明の効果】
【００１６】
本発明は上記のように構成されかつ作用するものであるから、第１係合部が通路部の一端すなわち模擬銃本体内に流入するための一端を塞ぐことになり、上記弾丸流失防止装置の外部に弾丸を流出することを防止することができる。
【図面の簡単な説明】
【００１７】
【図１】模擬銃の全体を示した断面図である。
【図２】Ａは、弾丸流失防止装置において検知受け部が跳ね上げられていない状態の斜視図である。Ｂは弾丸流失防止装置において検知受け部が跳ね上げられた状態の斜視図である。
【図３】Ａは、マガジンに弾丸が配置された状態の分解斜視図である。Ｂは、マガジンが、空になった状態の分解斜視図である。
【図４】Ａは、弾丸流失防止装置と、弾丸を配置したマガジンとの組み合わせた状態の斜視図である。Ｂは、Ａの裏面から見た分解斜視図である。
【図５】Ａは、弾丸流失防止装置と、弾丸が、空になった状態のマガジンとの組み合わせた状態の斜視図である。Ｂは、Ａの裏面から見た分解斜視図である。
【図６】模擬銃にマガジンを取り付けようとする断面図である。
【図７】模擬銃にマガジンを取り付けた状態の断面図である。
【図８】ピストンシリンダー機構を引いた状態の模擬銃の断面図である。
【図９】コッキングが完了した状態の模擬銃の断面図である。
【図１０】トリガーを引いた状態の模擬銃の断面図である。
【図１１】マガジン内の弾丸をすべて発射した状態の模擬銃の断面図である。
【図１２】模擬銃からマガジンを取り外した状態の断面図である。
【発明を実施するための形態】
【００１８】
好ましい実施例における弾丸流失防止装置１０について説明する。弾丸流失防止装置１０は、マガジン１００から模擬銃２００の銃本体に弾丸Ｂを供給するための通路部２０と、その通路部２０の一端２１に配置され弾丸Ｂの流出を防止するための第１係合部３０と、その通路部２０の他端２２に配置される検知受け部４０と、を有する。
【００１９】
通路部２０は、後述するマガジン１００から模擬銃２００の銃本体に弾丸Ｂを供給するための通路となるものである。すなわち、この弾丸Ｂは、マガジン１００から他端２２を通じてほぼ水平に矢印Ｆ方向に移動しそこから上方へ屈曲し、一端２１を通過して模擬銃２００内に至るというものである。このように通路部２０は、弾丸Ｂを通過させるためにその弾丸Ｂが通過するのに充分な空間を有している。ここで、矢印Ｆ方向とは、模擬銃２００における銃口２０１の方向を意味し、矢印Ｒ方向とは同じくストック２０２の方向を意味する。
【００２０】
また、通路部２０は本実施例においては、弾丸Ｂが１６発保持することができる容量を有している。なお、これは、弾丸流失防止装置１０を搭載する模擬銃の種別によって異なるものでありこれらの数に限定されるものではない。
【００２１】
第１係合部３０は、全体としてほぼアルファベットのＬ字状を呈する。また、第１係合部３０は、薄板のプレート状を呈する第１係合部本体３１と、その第１係合部本体３１と一体に構成された弾丸係合部３２とを有するものである。なお、その弾丸係合部３２は通路部２０の一端２１に配置されている。また、他端２２は後述する検知受け部４０と係合するための検知受け係合部３３を有する。この検知受け係合部３３は、他端部３４に対して傾斜している。弾丸係合部３２は文字通り、弾丸Ｂと係合して通路部２０外への流出を防止するものであり、この点は後述する。
【００２２】
また、第１係合部３０は、第１長穴３５ａと、第２長穴３５ｂとを有している。これらの長穴という意義は、矢印ＦおよびＲ方向に長いというものである。また、その第１長穴３５ａと、第２長穴３５ｂは、それぞれ掛止具３６、３６によって、上述の通路部２０に対して矢印ＦおよびＲ方向に移動可能に配置されている。このときばね３７は、通路部２０に対して矢印Ｒ方向にその第１係合部３０を付勢している。従って、このバネ３７によって矢印Ｒ方向に付勢されつつ上記の第１長穴３５ａと、第２長穴３５ｂの長さによるストローク量に応じて矢印ＦおよびＲ方向にその第１係合部３０は、移動可能に配置されている。また、掛止具３６、３６は、通路部２０に対して固定されており、その掛止具３６、３６は、第１係合部３０が、矢印ＦまたはＲ方向に移動する際に、上記第１長穴３５ａと、第２長穴３５ｂがその掛止具３６、３６に対して係合して摺動する。なお、本実施例においては、上記第１長穴３５ａに比べ、第２長穴３５ｂのほうを長く構成している。これは、矢印ＦおよびＲ方向のストローク量はもっぱら短いほうの上記第１長穴３５ａによって担い、第２長穴３５ｂは、製造上の組み当て易さを考慮して、上記第１長穴３５ａよりも、矢印ＦおよびＲ方向に、長く構成したためである。なお、掛止具３６、３６は、頭部に鍔のついたねじが好ましい。また、そのねじを配置する場合に通路部２０から突出するように中空筒状の部材を設け、その中空部分にねじを配置して、通路部２０に設けた中空筒状の部材を上記第１長穴３５ａと、第２長穴３５ｂと摺動するように配置してその第１係合部３０を、矢印ＦまたＲ方向に摺動可能に配置することもできる。
【００２３】
また、検知受け部４０は、後述するマガジン１００を前記通路部２０から、離したか、または前記マガジン１００内に弾丸Ｂがなくなったことを検知する検知部１５０が移動することにより、その検知部１５０との係合を脱することによって、上述の第１係合部３０を駆動させるためのものである。また、検知受け部４０の一部に第２係合部５０が配置されている。これは、通路部２０の他端２２から弾丸Ｂの流出を防止するためのものである。この点については後述する。
【００２４】
検知受け部４０は、軸部４１によってシーソーのように搖動するように配置されている。もっとも、この軸部４１は、検知受け部４０の重心に配置されていないので、後述する接触部４２と押圧部４３のうち、自重によって接触部４２のほうに傾くように配置されている。従って、後述するようにマガジン１００が模擬銃２００の銃本体にセットされない場合は、接触部４２が下降すると同時に、検知受け部４０に配置された第２係合部５０が下降し、その第２係合部５０が弾丸Ｂと接触することで、その弾丸Ｂが通路部２０の他端２２から流出することを防止する。
【００２５】
また、接触部４２は、後述するマガジン１００の検知部１５０すなわちこの検知部１５０における検知係合部１５３と係合するためのものである。また、接触部４２がこの検知部１５０における検知係合部１５３によって上昇すると、軸部４１によって、押圧部４３が下がる。これにより、押圧部４３は上述の第１係合部３０における検知受け係合部３３と接触する。これにより、ばね３７の矢印Ｒ方向の付勢に反して、検知受け部４０は第１係合部３０を矢印Ｆ方向に移動すなわち駆動させることができる（図２Ａ、Ｂ参照）。これは、上述の通り、検知受け係合部３３は、他端部３４に対して傾斜しているので、押圧部４３がその検知受け係合部３３を押すと、その押した力の水平成分によって矢印Ｆ方向に、その第１係合部３０を移動させるというものである。
【００２６】
マガジン１００について説明する。図３Ａ、Ｂにおいてマガジン１００の説明をするために矢印Ｆ方向を図面左手にして説明する。マガジン１００は、複数の弾丸Ｂを模擬銃２００内に供給するためのものである。またマガジン１００のケースであるマガジン本体１０１の内側に、複数の弾丸Ｂを保持するための渦巻状を呈する弾丸軌道１１０を有し、この弾丸軌道１１０内の一端部１１１に、ストッパー部１２０を固定して配置している。この、ストッパー部１２０に、コイルばね１３０が取り付けられ、この弾丸軌道１１０内にコイルばね１３０が配置され、このコイルばね１３０によって、弾丸押圧部１４０を、一端部１１１から開口部１１２の方向に付勢している。
【００２７】
このような構成のマガジン１００において、開口部１１２から、弾丸Ｂを上述のコイルばね１３０を圧縮するときの反発力に対抗して複数の弾丸Ｂを配置する。この複数の弾丸Ｂは、掛止ばね１１３によって上昇するように付勢された弾丸掛止部１１４が上昇している状態にあるために、マガジン１００内に配置された弾丸Ｂが、上記弾丸掛止部１１４と接触することで、コイルばね１３０における押圧力に抗してマガジン１００の外部にその弾丸Ｂが流出しないように構成されている。
【００２８】
マガジン１００内に複数の弾丸Ｂが配置されている状態において、図示しない使用者が、弾丸Ｂをすべて発射し、マガジン１００内に弾丸Ｂが存在しなくなった状態において、圧縮されたコイルばね１３０が自然長に近づき、弾丸押圧部１４０が、開口部１１２付近に接近する。弾丸押圧部１４０が、開口部１１２付近に接近すると弾丸押圧部１４０における押圧部材１４１が、検知部１５０における検知掛止部１５１と接する。なお、この検知部１５０は、弾丸Ｂがマガジン１００内に配置されているときは検知ばね１５２によって矢印Ｒ方向に付勢されているため、検知支点１５４によって回転し、同じく矢印Ｒ方向に押圧されている。このように、検知部１５０が矢印Ｒ方向に配置されているときは、マガジン１００内に弾丸Ｂが配置されていることを検知することできるということである。
【００２９】
しかしながら、上述の場合、すなわち弾丸押圧部１４０における押圧部材１４１が、検知部１５０における検知掛止部１５１と接する場合に、コイルばね１３０における押圧力が検知ばね１５２よりも、そのバネ定数が大となるように構成している。従って、弾丸Ｂがマガジン１００内から無くなった場合に、検知部１５０が、弾丸押圧部１４０によって押され、矢印Ｆ方向に移動することになる。このように、検知部１５０が、矢印Ｆ方向に配置されているときは、マガジン１００内に弾丸Ｂが無くなったことを検知することできるというものである。
【００３０】
上述の構成の弾丸流失防止装置１０と、マガジン１００とを模擬銃２００に組み入れた状態に配置し、その弾丸流失防止装置１０と、マガジン１００のみを抜き出して示した図４Ａ、Ｂにおいて説明する。これは模擬銃２００に配置されている状態を理解容易にするために模擬銃２００から上述の通り弾丸流失防止装置１０と、マガジン１００とを組み合わせ、それらを抜き出して説明するためのものである。
【００３１】
上述のとおりマガジン１００内に１以上の弾丸Ｂが配置されている場合は、検知部１５０は、上述のとおり、検知ばね１５２によって矢印Ｒ方向に付勢されているため、その検知ばね１５２は矢印Ｒ方向に位置している。この状態において、弾丸流失防止装置１０がマガジン１００と組み合わされているために、検知部１５０における検知係合部１５３は、検知受け部４０における接触部４２と係合する。そのために検知受け部４０は、軸部４１によってシーソーのように搖動するように配置されているために、その検知受け部４０における接触部４２は上方に跳ね上げられる。
【００３２】
接触部４２が上方に跳ね上げられると、その検知受け部４０は、軸部４１によって搖動可能に軸支されているために、その反対側に位置する押圧部４３が下降する。押圧部４３が下降すると、その押圧部４３が、検知受け係合部３３と接触する。これにより、ばね３７の矢印Ｒ方向の付勢に反して、検知受け部４０は第１係合部３０を矢印Ｆ方向に移動させることができる。その結果、第１係合部３０における模擬銃２００に一番近い弾丸Ｂ１と、弾丸係合部３２との係合が解かれ、すなわち係合から脱することにより、模擬銃２００内に弾丸Ｂ１が流入する（図４Ａ、Ｂ参照）。
【００３３】
一方で、マガジン１００内に配置される弾丸Ｂがすべてなくなった場合、すなわちマガジン１００内の弾丸Ｂを撃ちつくし、あとは通路部２０内に複数の弾丸Ｂが配置されているのみとなった状態である。この場合において、弾丸押圧部１４０が、コイルばね１３０によって押され、開口部１１２付近に接近しているので、弾丸押圧部１４０が、開口部１１２付近に接近すると弾丸押圧部１４０における押圧部材１４１が、検知部１５０における検知掛止部１５１と接する。この検知部１５０は検知ばね１５２によって矢印Ｒ方向に付勢されているものの、この力に抗することができるように、コイルばね１３０における押圧力を検知ばね１５２よりバネを強く、すなわち、検知ばね１５２のバネ定数よりコイルばね１３０のバネ定数が大となるように構成しているために、検知部１５０が、弾丸押圧部１４０によって、矢印Ｆ方向に移動する。
【００３４】
この弾丸押圧部１４０の矢印Ｆ方向の移動によって、検知部１５０における検知係合部１５３と、検知受け部４０における接触部４２との係合が脱することになる。これによって、第１係合部３０におけるばね３７の付勢力により、通路部２０に対して矢印Ｒ方向にその第１係合部３０が移動し、それと一体の弾丸係合部３２が、矢印Ｒ方向に移動する。この移動によって弾丸係合部３２が一端２１において、通路部２０内に突出し、その弾丸Ｂ２と係合することによってその弾丸Ｂ２の通路部２０内から通路部２０外への流出を防止することができる（図５Ａ、Ｂ参照）。
【００３５】
また、それとともに、検知受け部４０に配置された第２係合部５０が、他端２２において通路部２０に下降し突出するので、通路部２０の他端２２から弾丸Ｂの流出を防止する。このように、第２係合部５０を検知受け部４０に配置すると、通路部２０の一端２１のみならず、他端２２において、弾丸Ｂ３の流出を防止することもできる（図５Ａ、Ｂ参照）。
【００３６】
ここで、弾丸流失防止装置１０を配置した模擬銃２００に、複数の弾丸Ｂを充填したマガジン１００をセットした状態において弾丸Ｂを発射する１連の操作を説明する。マガジン１００を模擬銃２００の銃本体にセットしようとすると（図６参照）、マガジン１００における検知部１５０が矢印Ｒ方向に位置しているため、弾丸Ｂがマガジン１００内に配置されていることを検知する。すなわち、上記のとおり検知受け部４０と検知部１５０が係合し、その検知受け部４０が跳ね上げられる。すなわち、その検知受け部４０が上昇することによりそれに配置されている第２係合部５０が上昇する。それにより、第２係合部５０が通路部２０内に突出する状態が解かれ、マガジン１００から複数の弾丸Ｂが通路部２０内に流入する（図７参照）。
【００３７】
このとき、第１係合部３０の係合も解かれているために、すなわち第１係合部３０が通路部２０内に突出する状態が解かれているために、弾丸Ｂは一端２１に達するものの、ノズル２１０にその侵入を阻まれ、その弾丸Ｂは、通路部２０における一端２１にとどまる（図７参照）。
【００３８】
その後、使用者はピストンシリンダー機構２２０を矢印Ｒ方向に引くとピストンスプリング２３０を圧縮しながらピストン２２１と第２シア２８３が係合する。それと同時に、ノズル２１０にその侵入を阻まれ、一端２１にとどまっている弾丸Ｂが、チャンバー機構２５０内に侵入する（図８参照）。
【００３９】
その後、ピストンシリンダー機構２２０を元の位置に戻すと、弾丸Ｂが、嵌合口２６０内に押し出され、弾丸Ｂがその嵌合口２６０内にセットされる。これらの動作はいわゆるコッキングといわれる動作である（図９参照）。
【００４０】
その後トリガー２７０を引くと、アクチュエーター２８０が矢印Ｆ方向に押し出され、そのアクチュエーター２８０と第１シア２８１との接続がはずれ、そのアクチュエーター２８０が第１シア２８１の溝部２８１ａに、移動し、その第１シア２８１が軸部２８２周りに反時計回りに回転する。そのために、その第１シア２８１に配置されている第２シア２８３が、若干下方に沈み込むことにより、その第２シア２８３と、ピストン２２１におけるピストン係合部２２１ａとの係合が解除される。
【００４１】
この解除によって、圧縮されたピストンスプリング２３０が開放され、ピストン２２１が矢印Ｆ方向に急速に移動し、その移動先に配置されている弾丸Ｂが発射される（図１０参照）。このように上記の一連の動作を繰り返し行い、複数の弾丸Ｂを撃ち続けるとマガジン１００内に配置された弾丸Ｂがすべて、通路部２０内に進入し、マガジン１００内の弾丸Ｂは空となる（図１１参照）。
【００４２】
このとき上述の通り、マガジン１００における検知部１５０が、矢印Ｆ方向に移動し、検知受け部４０との係合がはずれる。このとき、そのマガジン１００内に配置される弾丸Ｂがすべて空となった状態である。すなわち、マガジン１００内の弾丸Ｂは撃ちつくされ、あとは通路部２０内に弾丸Ｂが配置されているのみとなったいわゆる死弾を有する状態である。
【００４３】
上記の通り、第１係合部３０におけるばね３７に付勢力により、通路部２０に対して矢印Ｒ方向にその第１係合部３０が移動し、それと一体の弾丸係合部３２が、矢印Ｒ方向に移動することによって弾丸Ｂ２の通路内２０における一端２１からの流出を防止することができる。
【００４４】
また、それとともに、検知受け部４０に配置された第２係合部５０が、下降するので、通路部２０の他端２２から弾丸Ｂ３の流出を防止する。このように、第２係合部５０を検知受け部４０に配置すると、通路部２０の一端２１のみならず、他端２２からの弾丸Ｂの流出を防止することができる。尚、第２係合部５０は任意に設けることもできる。従って、検知受け部４０に第２係合部５０を設けない場合において、弾丸Ｂは、通路内２０における一端２１のみからの流出を防止することができる。
【００４５】
また、模擬銃２００の銃本体からマガジン１００を外すと、すなわち前記マガジン１００を前記通路部２０から離すと、マガジン１００における検知部１５０と、検知受け部４０との係合が外れる（図１２参照）。従って、マガジン１００内の弾丸Ｂが空となったときと同様に、第１係合部３０におけるばね３７の付勢力により、通路部２０に対して矢印Ｒ方向にその第１係合部３０が移動し、それと一体の弾丸係合部３２が、矢印Ｒ方向に移動することによって弾丸Ｂ２の通路内２０における一端２１からの流出を防止することができる。また、それとともに、検知受け部４０に配置された第２係合部５０が、下降するので、通路部２０の他端２２から弾丸Ｂ３の流出を防止することができる。
【００４６】
また、マガジン１００内に、弾丸Ｂが残っていたとしても、そのマガジン１００を、模擬銃２００の銃本体からマガジン１００を外した場合は、上記と同様に、弾丸Ｂ２の通路内２０における一端２１からの流出を防止することができる。また、それとともに、検知受け部４０に配置された第２係合部５０が、下降するので、通路部２０の他端２２から弾丸Ｂ３の流出を防止することができる。
【符号の説明】
【００４７】
１０  弾丸流失防止装置
２０  通路部
２１  一端
２２  他端
３０  第１係合部
３１  第１係合部本体
３２  弾丸係合部
３３  検知受け係合部
３５ａ  第１長穴
３５ｂ  第２長穴
３６  掛止具
４０  検知受け部
４１  軸部
４２  接触部
４３  押圧部
５０  第２係合部
１００  マガジン
１５０  検知部
２００  模擬銃
【図１】
0006732176.tif 000002
【図２】
0006732176.tif 000003
【図３】
0006732176.tif 000004
【図４】
0006732176.tif 000005
【図５】
0006732176.tif 000006
【図６】
0006732176.tif 000007
【図７】
0006732176.tif 000008
【図８】
0006732176.tif 000009
【図９】
0006732176.tif 000010
【図１０】
0006732176.tif 000011
【図１１】
0006732176.tif 000012
【図１２】
0006732176.tif 000013